【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  少なくとも１つのウェブ（１）を巻取ロール（２）に巻取り、少なくとも、前記巻取ロール（２）と互いに平行をなす第１のロール（３）、第２のロール（４）および第３のロール（５）を備える装置であって、前記装置は、
前記第１および第２のロール（３，４）および前記巻取ロール（２）のそれぞれが前記第３のロール（５）に接触し、
前記第１のロール（３）と前記第２のロール（４）との間、前記第１のロール（３）と前記巻取ロール（２）との間、および、前記第２のロール（４）と前記巻取ロール（２）との間には接触が存在せず、
前記第３のロール（５）の軸により範囲が定められると共に前記第１のロール（３）の軸（１７）を含む第１の半平面と、前記第３のロール（５）の軸により範囲が定められると共に前記第２のロール（４）の軸（１８）を含む第２の半平面との間に定められる第１の角度が１８０°より小さく、
前記第３のロール（５）の軸により範囲が定められると共に前記巻取ロール（２）の軸を含む第３の半平面と、前記第５のロール（５）の軸により範囲が定められると共に交線を含む第４の半平面との間に定められる第２の角度が９０°より大きく、前記交線が、前記第１の角度の二等分平面と、前記第１のロール（３）の軸（１７）および前記第２のロール（４）の軸（１８）を含む平面との交線である、規準巻取位置を有しており、
前記装置が前記規準巻取位置にある際に、前記第３のロール（５）を前記第１および第２のロール（３，４）と前記巻取ロール（２）との間で自由に位置決めかつ整列させる手段（１９，２５，２６，２７，２８，２９，３０）を備えることを特徴とする装置。
【請求項２】  前記第１、第２および第３のロール（３，４，５）が前記巻取ロール（２）への巻き取りのコースにおける前記ウェブ（１）のパスから外れて配置される開位置を更に有しており、前記第１、第２および第３のロール（３，４，５）のうち、少なくとも一つのロールのベアリングと、前記巻取ロール（２）とが、前記開位置と前記規準巻取位置との間の前記装置から位置変化を可能にするように移動自在であることを特徴とする請求項１に記載の装置。
【請求項３】  前記規準巻取位置では、前記第２の角度が実質的に１８０°であることを特徴とする請求項１または２に記載の装置。
【請求項４】  前記規準巻取位置では、前記第３の半平面が実質的に垂直であることを特徴とする請求項１〜３の何れか一項に記載の装置。
【請求項５】  前記装置が前記規準巻取位置にある際に、前記巻取ロール（２）のいかなる幅についても、前記第３のロール（５）の端部領域が前記第１および第２のロール（３，４）に接するように、ロード手段（１９）が前記第３のロール（５）のベアリングに力を加えることを特徴とする請求項１〜４の何れか一項に記載の装置。
【請求項６】  前記装置が前記規準巻取位置にある際に、前記巻取ロール（２）の直径に適合するように、前記第３の半平面に直角ではなく、好ましくは前記第３の平面に平行な共通の方向に沿って、前記第１、第２および第３のロール（３，４，５）のベアリングを移動させる手段（１１，１２，１９，２０，２１，２２，２３，２４）を備え、前記巻取ロール（２）のベアリングが前記規準巻取位置に固定・保持されていることを特徴とする請求項１〜５の何れか一項に記載の装置。
【請求項７】  前記第１および第２のロール（３，４）が互いに対して共に自由に移動しないように、前記第１および第２のロール（３，４）のベアリングを選択的にインタロックするインタロック手段（１３ａ，１４ａ、１５，１６）を備えることを特徴とする請求項６に記載の装置。
【請求項８】  前記規準巻取位置では、前記第３のロール（５）の軸（３１）が前記巻取ロール（２）の軸よりも高いレベルに配置され、前記第１、第２および第３のロール（３，４，５）の重量が前記第３のロール（５）を介して前記巻取ロール（２）によって少なくとも部分的に支持され、それにより、前記第３のロール（５）が前記巻取ロール（２）に圧力を加えることを特徴とする請求項６または７に記載の装置。
【請求項９】  前記装置が前記規準巻取位置にある際に、前記第３のロール（５）により前記巻取ロール（２）に作用させられる圧力が前記巻取ロール（２）の中央領域で最小化されると共にその端部に向けて徐々に減少するように、前記第１および第２のロール（３，４）のベアリングに、前記第３の半平面に平行な成分を有して前記巻取ロール（２）から離れるように向けられた力を作用させるロード手段（２１，２３）を備えることを特徴とする請求項８に記載の装置。
【請求項１０】  前記ウェブ（１）と接するようになる前記第１および第２のロール（３，４）のうちの各ロールについて、選択的に、該ロールを前記ウェブ（１）のそれらに実質的に対応する方向および接線速度で回転させるか、あるいは、アイドルロールとして作用させるかする手段を備えることを特徴とする請求項１〜９の何れか一項に記載の装置。
【請求項１１】  前記装置が前記規準巻取位置にないときに、前記第３のロール（５）が前記第１または第２のロール（３，４）と直接に接触する際に、少なくとも前記第１または第２のロール（３，４）をアイドルロールとして作用させるか、あるいは、ある方向および速度で回転させるかする手段を備え、それにより、前記第３のロール（５）が前記ウェブ（１）のそれらに実質的に対応する方向および接線速度で摩擦により回転駆動されることを特徴とする請求項１〜１０の何れか一項に記載の装置。
【請求項１２】  前記第３のロール（５）が前記第１のロール（３）にまた接するまで、前記第２のロール（４）の外周に沿って前記第３のロール（５）を進行させる手段（１８，１９，２０）を備えることを特徴とする請求項１〜１１の何れか一項に記載の装置。
【請求項１３】  前記第１および第２のロール（３，４）は、同一の重量を有することを特徴とする請求項１〜１２の何れか一項に記載の装置。
【請求項１４】  前記第１および第２のロール（３，４）は、同一の直径を有することを特徴とする請求項１〜１３の何れか一項に記載の装置。
【請求項１５】  前記第１および第２のロール（３，４）の直径は、前記第３のロール（５）の１〜６倍の直径であることを特徴とする請求項１〜１４の何れか一項に記載の装置。
【請求項１６】  請求項１ないし１５のいずれかの装置を用いて少なくとも１つのウェブ（１）を巻取ロール（２）に巻取る方法であって、前記巻取規準位置では、前記ウェブ（１）が、少なくとも前記第３のロール（５）と前記巻取ロール（２）との間を通過することを特徴とする方法。
【手続補正２】
【補正対象書類名】明細書
【補正対象項目名】０００６
【補正方法】変更
【補正の内容】
【０００６】
欧州特許出願公開０１４７１１５号は、押圧する湾曲されたロールを含んだ巻取装置を開示している。欧州特許出願公開０６７０２７７号は、パックロールを有する巻取装置を開示している。欧州特許出願公開０５１４２２６号は、置き（ｌａｙ−ｏｎ）ロールおよび当該置きロールに接線方向に適用される更なるロールを有する巻取装置を開示している。特願平７−１１２８５４号公報は、保持ロールおよびこれを押圧するガイドロールを有する巻取装置を開示している。
（発明の概要）
研究の結果、以下のことが明らかになった。
【手続補正３】
【補正対象書類名】明細書
【補正対象項目名】００１０
【補正方法】変更
【補正の内容】
【００１０】
更に、研究によれば、パックロールのサイズを減じることに現実的な問題または制限が存在すること、例えば、パックロールは、それが細すぎる場合、曲がり易くなりすぎるであろうということが明らかになった。ただし、それは、エアの巻き込みにおけるその重要性ゆえに、細いパックロールをデザインすることを示唆する。研究の成果は、可能性のある設計変更の２つの例に帰結した。第１の例は、ロールと巻取ロールとの間の細いロールを提案しており、ウェブは、そのロールから細いロールを通り、巻取ロールに達する。第２の例は、２つのロールと巻取ロールとの間の細いロールを提案しており、ウェブは、これらのロールの何れか一つから進行し、巻取ロールに達する。
【手続補正４】
【補正対象書類名】明細書
【補正対象項目名】００１１
【補正方法】変更
【補正の内容】
【００１１】
しかしながら、これらの原理を実行に移すために解決すべき幾つかの課題が存在している。第１の課題は、細いロールはその小さな直径に起因して曲がり易くなることから、ロールと巻取ロールとの間で細いロールの正確な位置を確保することにある。他の課題は、ウェブ上での摩擦を避けるために、細いロールと、他のロールとの接線速度を、それらの長さにわたり、それらの間の各点において同一に確保することにある。もう一つの課題は、巻取ロールにウェブを巻き取る前に、ウェブの広がりを確保することにあり、すなわち、一旦巻取ロールに巻き取られると、ウェブにしわが残ってしまうであろうということである。更なる課題は、ウェブの巻き取りの開始を容易に可能とすることにあり、この困難さは、ロールと細いロールとの間、および、細いロールと巻取ロールとの間をウェブが通過することにある。もう一つの更なる課題は、均一なエアの排除をもたらす巻取ロールの幅にわたる圧力分布を加えることにある。
【手続補正５】
【補正対象書類名】明細書
【補正対象項目名】００１３
【補正方法】変更
【補正の内容】
【００１３】
本発明の目的は、良好かつ均一なエアの排除、ゆがみのないウェブ、ウェブの良好な広がり、ならびに、巻き取りの容易な開始を確保し、それにより、巻取速度および巻取品質を改善させる巻取ロールにウェブを巻き取る装置および方法を提供することにある。
【手続補正６】
【補正対象書類名】明細書
【補正対象項目名】００１４
【補正方法】変更
【補正の内容】
【００１４】
この目的は、少なくとも１つのウェブを巻取ロールに巻取り、少なくとも、前記巻取ロールと互いに平行をなす第１のロール、第２のロールおよび第３のロールを備える装置であって、前記装置は、
前記第１および第２のロールおよび前記巻取ロールのそれぞれが前記第３のロールに接触し、
前記第１のロールと前記第２のロールとの間、前記第１のロールと前記巻取ロールとの間、および、前記第２のロールと前記巻取ロールとの間には接触が存在せず、
前記第３のロールの軸により範囲が定められると共に前記第１のロールの軸を含む第１の半平面と、前記第３のロールの軸により範囲が定められると共に前記第２のロールの軸を含む第２の半平面との間に定められる第１の角度が１８０°より小さく、
前記第３のロールの軸により範囲が定められると共に前記巻取ロールの軸を含む第３の半平面と、前記第５のロールの軸により範囲が定められると共に交線を含む第４の半平面との間に定められる第２の角度が９０°より大きく、前記交線が、前記第１の角度の二等分平面と、前記第１のロールの軸および前記第２のロールの軸を含む平面との交線である、規準巻取位置を有しており、
前記装置が前記規準巻取位置にある際に、前記第３のロールを前記第１および第２のロールと前記巻取ロールとの間で自由に位置決めかつ整列させる手段を備えることを特徴とする装置によって達成される。
ある態様では、前記装置は、前記第１、第２および第３のロールが前記巻取ロールへの巻き取りのコースにおける前記ウェブのパスから外れて配置される開位置を更に有しており、前記第１、第２および第３のロールのうち、少なくとも一つのロールのベアリングと、前記巻取ロールとが、前記開位置と前記規準巻取位置との間の前記装置から位置変化を可能にするように移動自在である。
別の態様では、前記規準巻取位置では、前記第２の角度が実質的に１８０°である。
別の態様では、前記規準巻取位置では、前記第３の半平面が実質的に垂直である。
別の態様では、前記装置が前記規準巻取位置にある際に、前記巻取ロールのいかなる幅についても、前記第３のロールの端部領域が前記第１および第２のロールに接するように、ロード手段が前記第３のロールのベアリングに力を加える。
別の態様（態様Ａという。）では、前記装置は、前記装置が前記規準巻取位置にある際に、前記巻取ロールの直径に適合するように、前記第３の半平面に直角ではなく、好ましくは前記第３の平面に平行な共通の方向に沿って、前記第１、第２および第３のロールのベアリングを移動させる手段を備え、前記巻取ロールのベアリングが前記規準巻取位置に固定・保持されている。態様Ａでは、前記装置は、前記第１および第２のロールが互いに対して共に自由に移動しないように、前記第１および第２のロールのベアリングを選択的にインタロックするインタロック手段を備えてもよい。態様Ａでは、前記装置はまた、前記装置が前記規準巻取位置にある際に、前記第３のロールを巻取ロールに対して押圧するように、前記第１および第２のロールのベアリングに、前記第３の半平面に平行な成分を有して前記巻取ロールに向けられた力を作用させるロード手段を備えてもよい。態様Ａでは、前記装置は、前記規準巻取位置では、前記第３のロールの軸が前記巻取ロールの軸よりも高いレベルに配置され、前記第１、第２および第３のロールの重量が前記第３のロールを介して前記巻取ロールによって少なくとも部分的に支持され、それにより、前記第３のロールが前記巻取ロールに圧力を加えることを特徴としてもよい。後者の場合には、前記装置は、前記装置が前記規準巻取位置にある際に、前記第１および第２のロールの重量の一部のみが前記巻取ロールにより支持されるように、前記第１および第２のロールのベアリングに、前記第３の半平面に平行な成分を有して前記巻取ロールから離れるように向けられた力を作用させるロード手段を備えてもよい。さもなければ、前記装置は、前記装置が前記規準巻取位置にある際に、前記第３のロールにより前記巻取ロールに作用させられる圧力が前記巻取ロールの中央領域で最小化されると共にその端部に向けて徐々に減少するように、前記第１および第２のロールのベアリングに、前記第３の半平面に平行な成分を有して前記巻取ロールから離れるように向けられた力を作用させるロード手段を備えてもよい。
態様Ａとは対照的に、別の態様（態様Ｂという。）では、前記装置は、前記装置が前記規準巻取位置にある際に、前記巻取ロールの直径に適合するように、前記第３の半平面に直角ではなく、好ましくは前記第３の平面に平行な共通の方向に沿って、前記巻取ロールのベアリングを移動させる手段を備え、前記第１および第２のロールのベアリングが前記規準巻取位置に固定・保持されている。態様Ｂによれば、前記装置はまた、前記装置が前記規準巻取位置にある際に、前記第１および第２のロールによりバックアップされる前記第３のロールに対して前記巻取ロールを押圧するように、前記巻取ロールのベアリングに、前記第３の半平面に平行な成分を有して前記第３ロールに向けられた力を作用させるロード手段を備えてもよい。態様Ｂでは、前記装置は更に、前記規準巻取位置では、前記巻取ロールの軸が前記第３のロールの軸よりも高いレベルに配置され、前記第３のロールが前記巻取ロールに逆方向の圧力を加えるように、前記巻取ロールの重量が前記第３のロールに対して部分的に負われることを特徴としてもよい。この後者の場合には、前記装置は、前記装置が前記規準巻取位置にある際に、前記巻取ロールの重量が前記第３のロールに対して負われるように、前記巻取ロールのベアリングに、前記第３の半平面に平行な成分を有して前記第３ロールから離れるように向けられた力を作用させるロード手段を備えてもよい。
別の態様では、前記装置は、前記ウェブと接するようになる前記第１および第２のロールのうちの各ロールについて、選択的に、該ロールを前記ウェブのそれらに実質的に対応する方向および接線速度で回転させるか、あるいは、アイドルロールとして作用させるかする手段を備えることを特徴とする。
別の態様では、前記装置は、前記位置が前記規準巻取位置にないときに、前記第３のロールが前記第１または第２のロールと直接に接触する際に、少なくとも前記第１または第２のロールをアイドルロールとして作用させるか、あるいは、ある方向および速度で回転させるかする手段を備え、それにより、前記第３のロールが前記ウェブのそれらに実質的に対応する方向および接線速度で摩擦により回転駆動される。
別の態様では、前記装置は、前記第３のロールが前記第１のロールにまた接するまで、前記第２のロールの外周に沿って前記第３のロールを進行させる手段を備える。
別の態様では、前記第３のロールは、弾性材料により覆われている。
別の態様では、前記第１のロールの表面は、２５μｍ以下の表面粗度Ｒｔを有する。
別の態様では、前記第第２のロールの表面は、２５μｍ以下の表面粗度Ｒｔを有する。
別の態様では、前記第１のロールの表面は、金属製であると共に研磨されている。
別の態様では、前記第２のロールの表面は、金属製であると共に研磨されている。
別の態様では、前記第１および第２のロールは、同一の重量を有する。
別の態様では、前記第１および第２のロールは、同一の直径を有する。
別の態様では、前記第１および第２のロールの直径は、前記第３のロールの１〜６倍の直径である。
別の態様では、前記第３のロールは、およそ２ｍの全長およびおよそ５０ｍｍの直径を有し、前記第１のロールおよび前記第２のロールは、およそ１５０ｍｍの直径を有している。
別の態様では、前記装置は更に、第１のロールの組および第２のロールの組を更に備え、前記第１のロールの組が前記ウェブのパスの一方の側に配置されると共に前記第２のロールの組が前記ウェブのパスの他方の側に配置され、前記第１のロールの組および前記第２のロールの組が、前記ウェブに該ロールが接触するまで移動自在であり、それにより、前記ウェブがそれらの間で波を形成する状態で前記第１のロールの組のロールが前記第２のロールの組のロールと重なり、前記第１および第２のロールの組が前記第１、第２および第３のロールに対して上流側に配置される。
本発明はまた、ウェブを巻取ロールに巻き取る方法であって、本発明の装置を用い、前記規準巻取位置で、前記ウェブを前記第３のロールと前記巻取ロールとの間に通過させ、前記第２および第３のロールの間と、前記第１および第３のロールの間とを通過させないことを特徴とする方法を提案する。
この態様では、前記方法は、
（ｉ）前記装置を前記開位置に適合させ、それにより、前記第１、第２および第３のロールが前記巻取ロールに向けて前記ウェブのパスの一方の側に配置されると共に、好ましくは、前記巻取ロールに接触しないが、前記規準巻取位置でのように、互いに関連して配置され、
（ｉｉ）前記ウェブを前記巻取ロールに対して初期化し、
（ｉｉｉ）前記巻取ロールと、前記第１、第２および第３のロールとをそれらが前記規準巻取位置に適合するまで近づけさせることを含んでもよい。
本発明は別のウェブを巻取ロールに巻き取る方法であって、本発明の装置を用い、前記規準巻取位置で、前記ウェブを前記第２および第３のロールの間に通過させ、前記第１および第３のロールの間を通過させ、最終的に、前記第３のロールと前記巻取ロールの間に進行させることを特徴とする方法を提案する。この態様では、前記方法は、
（ｉ）前記装置を前記開位置に適合させ、それにより、前記第１および第２のロールが前記巻取ロールに向けて前記ウェブのパスの一方の側に配置されると共に、前記第３のロールが前記巻取ロールに向けて前記ウェブのパスの他方の側に配置され、
（ｉｉ）前記ウェブを前記巻取ロールに対して初期化し、
（ｉｉｉ）前記第１および第２のロールを前記巻取ロールにそれらが前記規準巻取位置に適合するまで近づけさせることを含んでもよい。
本発明は更に、ウェブを巻取ロールに巻き取る方法であって、本発明による装置を用い、前記規準巻取位置で、前記ウェブを前記第１および第３のロールの間に通過させ、前記第３のロールと前記巻取ロールとの間を通過させるが、前記第２のロールと前記第３のロールとの間に通過させないことを特徴とする方法を提案する。
この態様では、前記方法は、
（ｉ）前記装置を開位置に適合させ、それにより、前記第１のロールが前記巻取ロールに向けて前記ウェブのパスの一方の側に配置されると共に、前記第２および第３のロールが前記巻取ロールに向けて前記ウェブのパスの他方の側に配置され、
（ｉｉ）前記ウェブを前記巻取ロールに対して初期化し、
（ｉｉｉ）前記第１、第２および第３のロールを前記巻取ロールにそれらが前記規準巻取位置に適合するまで近づけさせること含んでもよい。
ステップ（ｉｉｉ）は、
（ａ）前記第１、第２および第３のロールを前記第３のロールが前記第１のロールおよび前記第２のロールに接触すると共に前記第３のロールが前記巻取ロールと接触することがない所定の配列にもたらし、
（ｂ）前記第３のロールが前記巻取ロールと接触するまで、前記巻取ロールと、前記第１、第２および第３のロールにより形成されるユニットとを近づけさせる、  二つのサブステップを含んでもよい。
さらに、サブステップ（ａ）は、
（ａａ）前記第１、第２および第３のロールを前記第１のロールおよび前記第２のロールが所定の距離だけ離間されると共に前記第３のロールが前記第１のロールと接触することがない所定の配列までもたらし、
（ｂｂ）前記第３のロールが前記第１および第２のロールと接触するまで、前記第３のロールを前記前記第１および第２のロールに近づけさせる、二つのサブステップに細分化されてもよい。
さらに、前記方法は、ステップ（ｂｂ）では、  前記第２のロールが回転させられると共に前記第３のロールが前記第２のロールの外周に沿って進行させられ、それにより、前記第２のロールが前記第３のロールを前記ウェブのそれらに実質的に対応する方向および接線速度で摩擦駆動により回転させることを特徴としてもよい。
前記方法におけるステップ（ｉｉｉ）では、前記ウェブと接するようになる前記第１および第２のロールのうちの各ロールが、前記ウェブに接触する前に、前記ウェブのそれらに実質的に対応する方向および接線速度で回転させられてもよい。前記方法はまた、ステップ（ｉｉｉ）では、前記第３のロールと前記巻取ロールとが接触するようになる前に、前記第１のロールおよび前記第２のロールが、アイドルロールとして作用させられてもよい。さらに、前記方法は、ステップ（ｉｉｉ）では、前記第３のロールと前記巻取ロールとが前記第３の半平面に直角ではない方向に沿った相対変位により接触させられることを特徴としてもよい。さらに、後二者の方法は、前記規準巻取位置では，前記ウェブが、前記第３の半平面に実質的に直角に前記第１または第２のロールに到達させられることを特徴としてもよい。
さらに、前記方法は、前記巻取規準位置では、前記ウェブが、少なくとも前記第３のロールと前記巻取ロールとの間を通過することを特徴としてもよい。
【手続補正７】
【補正対象書類名】明細書
【補正対象項目名】００３６
【補正方法】変更
【補正の内容】
【００３６】
更なる実施形態では、水平方向に続くスペースを得ることを可能にする同様の装置が提案される。図１ａから図１ｅに関連して示された実施形態において、ロール３は、実質的に垂直方向に整列されるように示されたロール８および９に対して横方向にシフトされる。同様に、ロール４および細いロール５は、実質的に整列されるように示されたロール６および７に対して横方向にシフトされる。従って、装置が図１ａのような開状態にある際、装置は、水平方向のしかるべき位置にある。例えば、ロール３を一方のキャリッジにマウントすると共に、ロール８および９を更なるキャリッジにマウントすることも可能であり、双方は横方向に移動自在となる。同様に、ロール４および細いロール５は、一方のキャリッジにマウントされ得る一方、ロール６および７は、他方のキャリッジにマウントされ得て、双方は横方向に移動自在となる。従って、装置が、先の実施形態において図１ａにより例示された開状態にある際、ロール３，８および９をアイドルロール１０と巻取ロール２との間におけるウェブ１のパスの一方の側でほぼ垂直に整列させることができると共に、ロール４，６および７を前記パスの他方の側でほぼ垂直に整列させることもできる。それゆえに、前もってロール３からロール８および９を離間させる水平方向距離、および、ロール６および７からロール４および細いロール５を離間させる水平方向距離を節減することができる。そして、ロール３ならびにロール８および９を支持する双方のキャリッジは、ウェブ１に向けてそれと接するように同時に移動されてもよく、それから（すなわち、結果的に同時に）、ロール４、細いロール５ならびにロール８および９を支持する双方のキャリッジが、ロール３および４ならびに細いロール５が図１ｃにおいて先に例示された位置に達するまでウェブ１に向けて同時に移動されてもよい。この段階で、ロール８および９ならびロール６および７は、ウェブ１を閉じる先に述べられたジョーを形成するが、前記ジョーは、図５に示されるように、ロール３および４ならびに細いロール５によって実質的に垂直に整列される。この位置から、ロール８および９のキャリッジおよびロール６および７のキャリッジは、図１ｃに示された位置に達するように水平方向に同時にシフトされ、それから、先の実施形態の引き続くステップが通常どおり行われる。但し、前記シフト操作の前に、先の実施形態で図１ｃにおいて説明された装置の位置から図１ｄの位置に進行させる上述のステップを前もって実行することも可能である。